(57)【要約】      （修正有）【課題】  通話に際して相手側から保留が有った場合、漫然と過ごすような無駄な時間をなくすようにした電話装置を提供する。【解決手段】  受話部１０および送話部１１を有するハンドセット９と、スピーカ６と、送られて来た情報を受話部およびスピーカから選ばれる再生手段の何れで再生するかを選択する選択手段１３とを備えた電話装置１において、送られて来た情報の受話レベルを検出する受話レベル検出手段７と、受話レベルを減衰させる受話レベル減衰手段４と、切替手段５と、制御手段８とを具備し、制御手段は、選択手段による選択に応じて切替手段を作動させて再生手段で再生させ、スピーカが選択された情報を受けて、受話レベル検出手段に受話レベルを検出させ、かつ、受話レベル減衰手段を作動させてスピーカからの再生音量を低下させると共に、所定の閾値以上の受話レベルを検出した場合にはスピーカからの再生音量を低下させた再生音量よりも高くする。【選択図】    図１
2005236817.tif 000002
【特許請求の範囲】
【請求項１】
受話部および送話部を有するハンドセットと、スピーカと、相手方から送られて来た情報を前記ハンドセットの受話部および前記スピーカの群の中から選ばれる再生手段の中の何れで再生するかを選択する選択手段とを備えた電話装置において、
前記選択手段により前記スピーカによる再生が選択された場合、その再生音における特定の再生音の音量を自動的に低くする自動音量調整手段
を具備することを特徴とする電話装置。
【請求項２】
受話部および送話部を有するハンドセットと、スピーカと、相手方から送られて来た情報を前記ハンドセットの受話部および前記スピーカの群の中から選ばれる再生手段の中の何れで再生するかを選択する選択手段とを備えた電話装置において、
前記選択手段により前記スピーカによる再生が選択された場合、そのスピーカ再生音の音量を低くする音量低下手段と、
相手方から送られて来た情報の中から基準値外の情報を検出する検出手段と、
前記検出手段によって基準値外の情報が検出された場合、前記音量低下手段によって音量が低くされた再生音量を高くする音量回復手段
とを具備することを特徴とする電話装置。
【請求項３】
受話部および送話部を有するハンドセットと、スピーカと、相手方から送られて来た情報を前記ハンドセットの受話部および前記スピーカの群の中から選ばれる再生手段の中の何れで再生するかを選択する選択手段とを備えた電話装置において、
相手方から送られて来た情報の受話レベルを検出する受話レベル検出手段と、相手方から送られて来た情報の受話レベルを減衰させる受話レベル減衰手段と、切替手段と、制御手段とを更に具備し、
前記制御手段は、
前記選択手段による選択に応じて前記切替手段を作動させて該再生手段で再生させ、
前記選択手段により前記スピーカが選択された旨の情報を受けて、前記受話レベル検出手段に受話レベルを検出させ、かつ、前記受話レベル減衰手段を作動させて前記スピーカからの再生音量を低下させると共に、前記受話レベル検出手段が所定の閾値以上の受話レベルを検出した場合には前記スピーカからの再生音量を前記低下させた再生音量よりも高くするよう構成されてなる
ことを特徴とする電話装置。
【発明の詳細な説明】
【技術分野】
【０００１】
本発明は、特に、通話中の相手方から通話保留がなされた場合、その保留中の待ち時間を効果的に使うことが出来るようになる電話装置に関する。
【背景技術】
【０００２】
従来より電話の通話保留に関する技術は数多く提案されている。
【０００３】
例えば、通話の相手側から通話保留を受けた場合、この被保留者側にあっては、自ら、相手の保留を解除することが出来ず、そして、何時、通話保留が解除されるのか判らないので、大変、不便である。このことに鑑み、被保留者側が保留解除要求を送ることが出来るようにするを目的として、通話一時保留機能を備えた電話機において、保留中の接続回線よりの受信信号レベルが特定の閾値レベル以上か否かを比較する比較手段と、該比較手段が受信信号レベルが特定の閾値レベル以上を検知したことを報知する放置手段とを備えた電話機が提案（特拓昭６４−９０６５０号公報）されている。
【０００４】
又、保留スイッチの操作により保留装置が作動して電話回線が保留された場合において、この保留を解除するには、再度、保留スイッチを操作しなければならず、操作が煩瑣で厄介である。このことに鑑み、保留解除に際して、保留スイッチを再度操作しなくても済むようになることを目的として、電話機の保留装置において、保留スイッチと、送話器からの音声信号を検出する検出器とを有し、前記保留スイッチによって保留を起動し、前記検出器の出力信号によって保留の動作を停止するようにした電話機の保留装置が提案（特開平１−２８４０４７号公報）されている。
【０００５】
又、保留スイッチが押されて保留状態になった場合、相手方にはメロディ等の保留音が送られるのであるが、この時の保留音の音量は受け手側の如何によっていない。従って、時には、保留のメロディ音が大きいことも有り、これでは、逆に、不快感が増すのみである。そして、これまでのものでは、このような場合にあっても受忍せざるを得なかった。このようなことに鑑み、保留機能付き電話装置において、保留音を発生する保留音発生回路と、相手電話装置からのトーン信号を認識するトーン信号認識回路と、このトーン信号認識回路による認識結果によって保留音発生回路の音量を制御する音量調整回路とを有する保留機能付き電話装置が提案（特開平４−１３３４２号公報）されている。
【０００６】
又、ローカル音や保留音の音量設定を行っても、設定時にその場にて実際の音量でそのローカル音や保留音を聞くことが出来ず、着信時や発信時とか保留時になって始めてハンドセットやスピーカから出力される保留音などを聞いて設定した音量を確認しなければならない問題点が有った。そこで、ローカル音や保留音の音量設定時に、そのローカル音などをモニタしながら音量の調節が可能なディジタル電話機を提供することを目的として、着信時および発信時にアラーム、リンガ、キーイントーン等のローカル音を生成するローカル音回路と、保留時に発生させる保留音を生成する保留音回路と、前記ローカル音、保留音の選択および音量調整の為のキーが配置されたキー操作部と、前記ローカル音回路からのローカル音および前記保留音回路からの保留音のゲインコントロールを行い、ハンドセットあるいはスピーカの信号経路を設定して前記ローカル音および保留音を出力する出力回路と、前記ローカル音あるいは保留音の音量調整時に前記キー操作部から入力される信号に従って前記ローカル音回路あるいは保留音回路を起動すると共に前記音声回路の制御を行って、前記ローカル音、保留音の音量を指定された値に設定させ、更に、当該設定された音量で前記ローカル音あるいは保留音を前記ハンドセットあるいはスピーカより出力させる制御部とを備えたディジタル電話機が提案（特開平２−２１１７５３号公報）されている。
【特許文献１】特開昭６４−９０６５０号公報
【特許文献２】特開平１−２８４０４７号公報
【特許文献３】特開平４−１３３４２号公報
【特許文献４】特開平２−２１１７５３号公報
【発明の開示】
【発明が解決しようとする課題】
【０００７】
ところで、特許文献１の技術は、上述した通りのものであり、被保留者側から保留解除要求が出来るものの、被保留者は、保留解除まで、じっと耐えているものであり、その間は受話器を握り締めて待っているしかないものである。すなわち、被保留者は、保留による待ち時間の間は何も出来ず、無駄な時間を漫然と送っている。
【０００８】
特許文献２の技術は、上述した通りのものであり、保留者側の操作を簡単にしようとするものである。従って、これにあっても、被保留者は、保留解除まで、じっと耐えているものであり、その間は受話器を握り締めて待っているしかないものである。すなわち、被保留者は、保留による待ち時間の間は何も出来ず、無駄な時間を漫然と送っている。
【０００９】
特許文献３の技術は、上述した通りのものであり、保留の間のメロディ等の保留音を被保留者にとって目障りとならないように調整できるようにしたものに過ぎない、従って、これにあっても、被保留者は、保留解除まで、じっと耐えているものであり、その間は受話器を握り締めて待っているしかないものである。すなわち、被保留者は、保留による待ち時間の間は何も出来ず、無駄な時間を漫然と送っている。
【００１０】
特許文献４の技術は、上述した通りのものであり、ローカル音や保留音の音量設定時に、そのローカル音などをモニタしながら音量の調節が可能となるようにしたものに過ぎない、従って、これにあっても、保留に際しては、被保留者は、保留解除まで、じっと耐えているものであり、その間は受話器を握り締めて待っているしかないものである。すなわち、被保留者は、保留による待ち時間の間は何も出来ず、無駄な時間を漫然と送っている。
【００１１】
又、今日、受話部や送話部を有するハンドセット、スピーカ、そして受話音をハンドセットの受話部とスピーカとの間で切り替えることが出来るようにすると共に、受話音の音量調整が可能なように構成された電話装置も市販されている。そして、このような装置において、保留時に、保留音がスピーカから流れて来るように切り替えれば、ハンドセットを手で握ってなくても、スピーカから相手の声が聞こえて来るので、この時点で保留が解除（通話再開）されたことが判る。
【００１２】
しかしながら、この場合にあっては、そのままでは、スピーカから流れて来る音量が大きいことから、この状態で仕事を行うには雑音が多すぎ、能率が上がらない。
【００１３】
そして、能率を高める為に、スピーカから流れて来る保留音の音量を低くしていると、今度は、保留が解除されて通話が再開されても、通話音を聞き取れず、通話の再開が判らない問題が有る。
【００１４】
従って、本発明が解決しようとする課題は、通話に際して、相手側から保留が有った場合、この保留による待ち時間の間でも、被保留者は、他の仕事を行えるようにし、以って、漫然と過ごすような無駄な時間をなくすようにした電話装置を提供することである。
【課題を解決するための手段】
【００１５】
前記の課題は、受話部および送話部を有するハンドセットと、スピーカと、相手方から送られて来た情報を前記ハンドセットの受話部および前記スピーカの群の中から選ばれる再生手段の中の何れで再生するかを選択する選択手段とを備えた電話装置において、
前記選択手段により前記スピーカによる再生が選択された場合、その再生音における特定の再生音の音量を自動的に低くする自動音量調整手段
を具備することを特徴とする電話装置によって解決される。
【００１６】
更には、受話部および送話部を有するハンドセットと、スピーカと、相手方から送られて来た情報を前記ハンドセットの受話部および前記スピーカの群の中から選ばれる再生手段の中の何れで再生するかを選択する選択手段とを備えた電話装置において、
前記選択手段により前記スピーカによる再生が選択された場合、そのスピーカ再生音の音量を低くする音量低下手段と、
相手方から送られて来た情報の中から基準値外の情報を検出する検出手段と、
前記検出手段によって基準値外の情報が検出された場合、前記音量低下手段によって音量が低くされた再生音量を高くする音量回復手段
とを具備することを特徴とする電話装置によって解決される。
【００１７】
特に、受話部および送話部を有するハンドセットと、スピーカと、相手方から送られて来た情報を前記ハンドセットの受話部および前記スピーカの群の中から選ばれる再生手段の中の何れで再生するかを選択する選択手段とを備えた電話装置において、
相手方から送られて来た情報の受話レベルを検出する受話レベル検出手段と、相手方から送られて来た情報の受話レベルを減衰させる受話レベル減衰手段と、切替手段と、制御手段とを更に具備し、
前記制御手段は、
前記選択手段による選択に応じて前記切替手段を作動させて該再生手段で再生させ、
前記選択手段により前記スピーカが選択された旨の情報を受けて、前記受話レベル検出手段に受話レベルを検出させ、かつ、前記受話レベル減衰手段を作動させて前記スピーカからの再生音量を低下させると共に、前記受話レベル検出手段が所定の閾値以上の受話レベルを検出した場合には前記スピーカからの再生音量を前記低下させた再生音量よりも高くするよう構成されてなる
ことを特徴とする電話装置によって解決される。
【発明の効果】
【００１８】
通話中に、彼方側（保留者側）が保留ボタンを押下し、通話が保留になって暫くすると、此方側（被保留者側）は、何時、通話再開になるかが判らない為に、例えばイライラし始める。
【００１９】
このような時、少なくとも被保留者側の電話装置が本発明の如くに構成されていると、被保留者側は、選択手段を作動させ、ハンドセットの受話部で再生される再生音をスピーカで再生させるようにすることが出来る。勿論、この時、ハンドセットの受話部でも再生されるようにしていても良いが、基本的には二者択一とし、スピーカのみで再生させる。
【００２０】
そして、再生音をスピーカで再生する場合、通常、スピーカはハンドセットでは無く、電話装置本体側に設けられているから、ハンドセットを手で握っている必要が無い。すなわち、ハンドセットから手を離しておくことが出来る。従って、ハンドセットから手を離しているだけでも、待たされており、しかも、何時、通話が再開されるかが判らないことに起因するイライラ感は薄まる。
【００２１】
更には、スピーカで再生される相手方からの保留音は通常の通話音より小さな音となるように構成させているから、保留音がそれ程邪魔にはならず、他の仕事に掛ることが出来る。
【００２２】
そして、保留が解除されて、通話音が保留音から人の話音になると、このことが検出され、スピーカからの再生音は通常の音量（通常の音量と謂えども、音量を低下させた保留音の音量よりも高い。）となるので、保留した相手方からの話が判るようになる。すなわち、保留が解除されたことを簡単に知ることが出来る。
【００２３】
この時点で、そのまま、スピーカからの再生音を聞いて、応答しても良いが、再度、ハンドセットの受話部による再生を選べば、保留前と同様にして通話が再開される。
【発明を実施するための最良の形態】
【００２４】
図１は本発明の電話装置の第１実施形態になるブロック図である。
【００２５】
図１中、１は本発明になる電話装置（単独電話機）である。この単独電話機１は、大きく分けて、装置本体とハンドセットとからなる。
【００２６】
２は局線捕捉回路である。そして、局線捕捉回路２は、トランジスタ等を使用して構成され、アナログ局線から供給されるループ電流を流し、局線を捕捉するよう構成されている。３は２線／４線変換回路である。そして、２線／４線変換回路３は、２線式のアナログ局線の音声信号をホーイストンブリッジ回路等により受話音声信号と送話音声信号とに分離するよう構成されている。
【００２７】
４は受話レベル減衰器である。そして、受話レベル減衰器４は、オペアンプ等で構成され、後述の制御手段（マイコン８）の制御によって、受話音声信号のレベルを減衰するよう構成されている。５は音声切替回路である。そして、音声切替回路５は、マイコン８の制御によって、受話レベル減衰器４から入力された音声信号を、スピーカ６かハンドセット９の受話器１０の何れか一方に切り替えて出力するよう構成されている。
【００２８】
６は装置本体に設けられたスピーカである。このスピーカ６は、音声切替回路５から入力された電気信号を音声に変換し、自由空間に出力するものである。
【００２９】
７は受話レベル検出回路である。そして、受話レベル検出回路７は、２線／４線変換回路３から入力されたアナログ音声信号を、Ａ／Ｄ変換などにより、マイコン８が認識できるデジタルレベルに変換するものである。
【００３０】
１０は、通話に際して手にするハンドセット９の受話器である、１１はハンドセット９の送話器である。すなわち、受話器１０は、音声切替回路５から入力された電気信号を音声に変換し、人の耳に出力するものである。そして、送話器１１は、マイクロホンであり、人から発せられる音声を電気信号に変換するものである。
【００３１】
１２はキーパッド、１３は保留モニタボタンである。保留モニタボタン１３はスイッチであり、ダイヤル時などに押下されるボタンのＯＮ／ＯＦＦ情報をマイコン８に通知する。
【００３２】
１４は、ハンドセット９が置かれる位置に設けられたフックスイッチである。このフックスイッチ１４は、ハンドセット９のＯＮフック・ＯＦＦフック状態をマイコン８に通知するよう構成されている。
【００３３】
制御手段であるマイコン８は、受話レベル検出回路７からのデジタルの受話レベルを定期的にサンプリングし、このサンプリング結果を受けて受話レベルを減衰させたり・元に戻す為に、受話レベル減衰器４をＯＮ／ＯＦＦ制御するよう構成されている。又、通話相手からの音声信号を、スピーカ６か受話器１０のどちらか一方に出力するように出力先を切り替える為、音声切替回路５を制御するようにも構成されている。更には、保留モニタボタン１３のＯＮ／ＯＦＦ情報を定期的にサンプリングし、又、フックスイッチ１４のＯＮフック・ＯＦＦフック情報を定期的にサンプリングするよう構成されている。
【００３４】
上記のように構成させた電話装置において通話がなされているとする。すなわち、局線捕捉回路２は、アナログ局線から供給されるループ電流を流すことにより、局線を捕捉している。そして、２線／４線変換回路３が、２線式のアナログ局線の音声信号信号をホーイストンブリッジ回路等により受話音声信号と送話音声信号とに分離している。マイコン８は、通常の通話時に受話レベル減衰器4を減衰ＯＦＦに制御しており、２線／４線変換回路３からの音声信号を、レベル調整せず、そのまま音声切替回路５に出力している。又、マイコン８は、音声切替回路５を受話器１０側に切り替えている。そして、手に持って耳に当てているハンドセット９の受話器１０は、音声切替回路５からの電気信号を音声に変換し、人の耳に出力している。又、発した音声は送話器１１を経由して電気信号に変換され、そして２線／４線変換回路３、及び回線捕捉回路２を経由して局線側へ音声信号として伝達される。
【００３５】
ところで、通話中の相手が保留ボタンを押下して保留になった場合、此方側、即ち、被保留者側は、そのままの状態にしていても良い。
【００３６】
しかしながら、保留が、何時、解除になるかは判らない。１０秒後なのか、１分後なのか、１０分後なのかは全く判らない。保留が長くなると、そのままの状態では、イライラし始める。
【００３７】
そこで、被保留者は、ハンドセット９の受話器１０を介してメロディ等の保留音を聞くと、保留状態になったことが判るから、被保留者は保留モニタボタン１３を押下し、又、ハンドセット９を置き、フックスイッチ１４をONフックする。
【００３８】
ところで、マイコン８は、保留モニタボタン１３のＯＮ情報およびフックスイッチ１４のＯＮフック情報を定期的にサンプリングしている。従って、保留モニタボタン１３のＯＮ情報およびフックスイッチ１４のＯＮフック情報が検出されると、音声切替回路５をスピーカ６側に切り替え、スピーカ６から相手方の通話音声（保留音であるメロディ音など）を出力する。
【００３９】
同時に、マイコン８は、受話レベル検出回路７のサンプリングを開始し、音声信号の受話レベルを検出し、受話レベルを積算する。すなわち、マイコン８は、受話レベル検出回路７に対して被保留者が保留モニタボタン１３を押下後の予め決まった時間（数秒間）に亘って受話レベルをサンプリングさせ、そして音声信号の受話レベルの積算値をマイコン８のレジスタに記憶させると共に、記憶された受話レベルの積算値から平均受話レベルを算出する。そして、平均受話レベルと出力期待値の差分から減衰設定値を算出し、マイコン８のレジスタに記憶しておく。この記憶している減衰設定値を基にして、マイコン８は、受話レベル減衰器４を制御する。すなわち、マイコン８のレジスタに記憶された減衰設定値だけ受話レベルを減衰させ、スピーカ６から一定のレベルの小さい音声（保留音であるメロディ音など）が出力される。
【００４０】
ところで、マイコン８は、定期的に、受話レベル検出回路７にサンプリングを行わせており、受話レベルの検出が行われている。
【００４１】
このような状態下において、相手方である保留者が保留を止め、そして話が始まると、受話音声信号はメロディ音などの保留音から人の声に変わる。このようになると、即ち、状況が一変すると、受信レベル検出回路７でサンプリングされている受話レベルが変化する。そして、このような場合には、予め設定された許容値（閾値）を越えた受話レベルの変化が認められるので、保留状態が解除されたと判断する。そして、マイコン８は、受話レベル減衰器４を減衰ＯＮから減衰ＯＦＦに制御し、レベル調整を行わずに、そのまま音声切替回路５に出力し、減衰された小さな保留音（メロディ音）から元の大きな音声レベルに戻し、スピーカ６から出力する。
【００４２】
被保留者は、保留者の話声で大きな音声をスピーカ６から聞くようになるので、保留状態が解除されたことを判断でき、ハンドセット９を手に取り、受話器１０の部分を耳に当て、保留開始前と同様にして通話を再開する。尚、このハンドセット９を手にすることでフックスイッチ１４がＯＦＦフックされたことになり、又、マイコン８はフックスイッチ１４の情報を常時サンプリングしているので、このＯＦＦフック情報が検知される。そして、この検知により、マイコン８は、音声切替回路５を制御し、音声信号の出力先をスピーカ６から受話器１０側に戻す。
【００４３】
このようにして、ハンドセット９を耳に当ててなくても、保留状態から通話再開が判り、通常の通話状態に復旧できるので、無駄な時間がなくなる。しかも、保留時における保留音は小さく制御されているから、他の仕事をする上でも邪魔にならない。
【００４４】
尚、保留時における保留音は、完全に無音（０）にはなっておらず、即ち、減衰させているだけなので、万が一、受信レベル検出回路７がサンプリングしている受話レベルの変化を検出できなくとも、即ち、保留解除を検出できなくても、被保留者はスピーカ６からの相手側（保留者）の音声（人の声）を聞くことが出来る。従って、この面からも、通話再開を知ることが出来る。
【００４５】
図２は本発明の電話装置の第２実施形態になるブロック図である。
【００４６】
図２中、３０はボタン電話機主装置（例えば、構内交換機）であり、３１はボタン電話機主装置３０に接続された本発明になる電話装置（デジタル電話端末）である。そして、このデジタル電話端末３１は、大きく分けて、装置本体とハンドセットとからなる。
【００４７】
３２はデジタル端末インターフェース回路である。そして、デジタル端末インターフェース回路３２は、ボタン電話機主装置３０側と調歩同期回路等を使用し、デジタル音声信号の通信を行い、デジタル音声情報の受話信号を抽出し、送話信号を送出する回路である。
【００４８】
３３はＤ／Ａ−Ａ／Ｄ変換器である。そして、Ｄ／Ａ−Ａ／Ｄ変換器３３は、デジタル端末インターフェース回路３２からのデジタル音声信号をアナログ音声信号に変換し、受話レベル減衰器３４および受話レベル検出回路３７に出力し、又、送話器４１からのアナログ音声信号をデジタル音声信号に変換し、デジタル端末インターフェース回路３２に出力する回路である。
【００４９】
３４は受話レベル減衰器である。そして、受話レベル減衰器３４は、オペアンプ等で構成され、マイコン３８の制御により受話音声信号のレベルを減衰するよう構成されている。
【００５０】
３５は音声切替回路である。そして、音声切替回路３５は、マイコン３８の制御によって、受話レベル減衰器３４から入力された音声信号を、スピーカ３６かハンドセット３９の受話器４０の何れか一方に切り替えて出力するよう構成されている。
【００５１】
３６は装置本体に設けられたスピーカである。このスピーカ３６は、音声切替回路３５から入力された電気信号を音声に変換し、自由空間に出力するものである。
【００５２】
３７は受話レベル検出回路である。そして、受話レベル検出回路３７は、デジタル端末インターフェース回路３２から入力されたデジタル音声信号から音声レベルを測定し、マイコン３８に通知するものである。
【００５３】
４０は、通話に際して手にするハンドセット３９の受話器である、４１はハンドセット３９の送話器である。すなわち、受話器４０は、音声切替回路３５から入力された電気信号を音声に変換し、人間の耳に出力するものである。そして、送話器４１は、マイクロホンであり、人間から発せられる音声を電気信号に変換するものである。
【００５４】
４２はキーパッド、４３は保留モニタボタンである。保留モニタボタン４３はスイッチであり、ダイヤル時などに押下されるボタンのＯＮ／ＯＦＦ情報をマイコン３８に通知する。
【００５５】
４４は、ハンドセット３９が置かれる位置に設けられたフックスイッチである。このフックスイッチ４４は、ハンドセット３９のＯＮフック・ＯＦＦフック状態をマイコン３８に通知するよう構成されている。
【００５６】
制御手段であるマイコン３８は、受話レベル検出回路３７からのデジタルの受話レベルを定期的にサンプリングし、このサンプリング結果を受けて受話レベルを減衰させたり・元に戻す為に、受話レベル減衰器３４をＯＮ／ＯＦＦ制御するよう構成されている。又、通話相手からの音声信号を、スピーカ３６か受話器４０のどちらか一方に出力するように出力先を切り替える為、音声切替回路３５を制御するようにも構成されている。更には、保留モニタボタン４３のＯＮ／ＯＦＦ情報を定期的にサンプリングし、又、フックスイッチ４４のＯＮフック・ＯＦＦフック情報を定期的にサンプリングするよう構成されている。
【００５７】
上記のように構成させた電話装置において通話がなされているとする。すなわち、デジタル端末インターフェース回路３２は、ボタン電話機主装置３０側とデジタル音声信号の通信を行い、デジタル音声の受話信号を抽出し、Ｄ／Ａ−Ａ／Ｄ変換器３３および受話レベル検出回路３７に出力している。そして、Ｄ／Ａ−Ａ／Ｄ変換器３３は、デジタル端末インターフェース回路３２からのデジタル音声信号をアナログ音声信号に変換し、受話レベル減衰器３４に出力している。マイコン３８は、通常の通話時に受話レベル減衰器３４を減衰ＯＦＦに制御しており、Ｄ／Ａ−Ａ／Ｄ変換器３３からの音声信号を、レベル調整せず、そのまま音声切替回路３５に出力している。又、マイコン３８は、音声切替回路３５を受話器４０側に切り替えている。そして、手に持って耳に当てているハンドセット３９の受話器４０は、音声切替回路３５からの電気信号を音声に変換し、人の耳に出力している。又、発した音声は送話器４１を経由して電気信号に変換され、そしてＤ／Ａ−Ａ／Ｄ変換器３３、及びデジタル端末インターフェース回路３２を経由して、ボタン電話機主装置３０側に音声信号として伝達される。
【００５８】
ところで、通話中の相手が保留ボタンを押下して保留になった場合、此方側、即ち、被保留者側は、そのままの状態にしていても良い。
【００５９】
しかしながら、保留が、何時、解除になるかは判らない。１０秒後なのか、１分後なのか、１０分後なのかは全く判らない。保留が長くなると、そのままの状態では、イライラし始める。
【００６０】
そこで、被保留者は、ハンドセット３９の受話器４０を介してメロディ等の保留音を聞くと、保留状態になったことが判るから、被保留者は保留モニタボタン４３を押下し、又、ハンドセット３９を置き、フックスイッチ４４をONフックする。
【００６１】
ところで、マイコン３８は、保留モニタボタン４３のＯＮ情報およびフックスイッチ４４のＯＮフック情報を定期的にサンプリングしている。従って、保留モニタボタン４３のＯＮ情報およびフックスイッチ４４のＯＮフック情報が検出されると、音声切替回路３５をスピーカ３６側に切り替え、スピーカ３６から相手方の通話音声（保留音であるメロディ音など）を出力する。
【００６２】
同時に、マイコン３８は、受話レベル検出回路３７のサンプリングを開始し、音声信号の受話レベルを測定し、受話レベルを積算する。すなわち、マイコン３８は、受話レベル検出回路３７に対して被保留者が保留モニタボタン４３を押下後の予め決まった時間（数秒間）に亘って受話レベルをサンプリングさせ、そして音声信号の受話レベルの積算値をマイコン３８のレジスタに記憶させると共に、記憶された受話レベルの積算値から平均受話レベルを算出する。そして、平均受話レベルと出力期待値の差分から減衰設定値を算出し、マイコン３８のレジスタに記憶しておく。この記憶している減衰設定値を基にして、マイコン３８は、受話レベル減衰器３４を制御する。すなわち、マイコン３８のレジスタに記憶された減衰設定値だけ受話レベルを減衰させ、スピーカ３６から一定のレベルの小さい音声（保留音であるメロディ音など）が出力される。
【００６３】
ところで、マイコン３８は、定期的に、受話レベル検出回路３７にサンプリングを行わせており、受話レベルの検出が行われている。
【００６４】
このような状態下において、相手方である保留者が保留を止め、そして話が始まると、受話音声信号はメロディ音などの保留音から人の声に変わる。このようになると、即ち、状況が一変すると、受信レベル検出回路３７でサンプリングされている受話レベルが変化する。そして、このような場合には、予め設定された許容値（閾値）を越えた受話レベルの変化が認められるので、保留状態が解除されたと判断する。そして、マイコン３８は、受話レベル減衰器３４を減衰ＯＮから減衰ＯＦＦに制御し、レベル調整を行わずに、そのまま音声切替回路３５に出力し、減衰された小さな保留音（メロディ音）から元の大きな音声レベルに戻し、スピーカ３６から出力する。
【００６５】
被保留者は、保留者の話声で大きな音声をスピーカ３６から聞くようになるので、保留状態が解除されたことを判断でき、ハンドセット３９を手に取り、受話器４０の部分を耳に当て、保留開始前と同様にして通話を再開する。尚、このハンドセット３９を手にすることでフックスイッチ４４がＯＦＦフックされたことになり、又、マイコン３８はフックスイッチ４４の情報を常時サンプリングしているので、このＯＦＦフック情報が検知される。そして、この検知により、マイコン３８は、音声切替回路３５を制御し、音声信号の出力先をスピーカ３６から受話器４０側に戻す。このようにして、ハンドセットを耳に当ててなくても、保留状態から通話再開が判り、通常の通話状態に復旧できるので、無駄な時間がなくなる。しかも、保留時における保留音は小さく制御されているから、他の仕事をする上でも邪魔にならない。
【００６６】
尚、保留時における保留音は、完全に無音（０）にはなっておらず、即ち、減衰させているだけなので、万が一、受信レベル検出回路３７がサンプリングしている受話レベルの変化を検出できなくとも、即ち、保留解除を検出できなくても、被保留者はスピーカ３６からの相手側（保留者）の音声（人の声）を聞くことが出来る。従って、この面からも、通話再開を知ることが出来る。
【図面の簡単な説明】
【００６７】
【図１】本発明の電話装置の第１実施形態になるブロック図
【図２】本発明の電話装置の第２実施形態になるブロック図
【符号の説明】
【００６８】
１            単独電話機
４，３４      受話レベル減衰器（受話レベル減衰手段、音量調整手段）
５，３５      音声切替回路（切替手段）
６，３６      スピーカ
７，３７      受話レベル検出回路（受話レベル検出手段）
８，３８      マイコン（制御手段）
９，３９      ハンドセット
１０，４０    受話器
１１，４１    送話器
１３，４３    保留モニタボタン
１４，４４    フックスイッチ
特許出願人  ＮＥＣアクセステクニカ株式会社
代  理  人  宇      高          克      己
【図１】
2005236817.tif 000003
【図２】
2005236817.tif 000004